(57)【要約】      （修正有）【課題】内部のテント室に除菌など処理すべき対象物を収容して、処理流体を供給可能としたり、テント室において効率的な空調を実現可能にしたりするテント構造に関し、テントの組立作業が容易に、かつ、迅速にできるようにする。【解決手段】テント構造は、立体的に枠組みされて固定側６の面上に設置可能とされるフレーム７と、フレーム７に沿って延び、フレーム７に支持されて内部がテント室８とされるテント本体膜９と、一端部側１２がテント室８内に向かって開口する処理流体３用の複数の吐出口１３を有する一方、他端部側１４の端部が処理流体３の導入口１５とされる可撓性の流体通路１６とを備える。テント本体膜９、および流体通路１６が折り畳まれた状態から、テント本体膜９が展張させられるとき、展張動作に連動してテント本体膜９、および流体通路１６が互いの相対的な所定位置に設置されるようにする。【選択図】図２
2012077523.tif 000002
【特許請求の範囲】
【請求項１】
立体的に枠組みされて固定側の面上に設置可能とされるフレームと、このフレームに沿って延び、このフレームに支持されて内部がテント室とされるテント本体膜と、一端部側が上記テント室内に向かって開口する処理流体用の複数の吐出口を有する一方、他端部側の端部が上記処理流体の導入口とされる可撓性の流体通路とを備えたテント構造において、
上記テント本体膜、および流体通路が折り畳まれた状態から、上記テント本体膜が展張させられるとき、この展張動作に連動して上記テント本体膜、および流体通路が互いの相対的な所定位置に設置されるようにしたことを特徴とするテント構造。
【請求項２】
上記フレーム、テント本体膜、および流体通路が一体的に折り畳まれた状態から展張されるようにしたことを特徴とする請求項１記載のテント構造。
【請求項３】
上記フレームをチューブ材により形成し、折り畳んだ状態の上記フレームへの気体の導入により、上記フレームが所定形状にまで膨張して展張されるようにしたことを特徴とする請求項１または２に記載のテント構造。
【請求項４】
上記流体通路の外殻材を、上記フレームとテント本体膜との少なくともいずれか一方に取り付けたことを特徴とする請求項２または３に記載のテント構造。
【請求項５】
上記流体通路の外殻材の少なくとも一部分を、上記フレームまたはテント本体膜と同じ材質にしたことを特徴とする請求項２から４のうちいずれか１つに記載のテント構造。
【請求項６】
上記流体通路の外殻材の少なくとも一部分を、上記フレームまたはテント本体膜の一部分により形成したことを特徴とする請求項２から５のうちいずれか１つに記載のテント構造。
【請求項７】
テントの平面視で、上記流体通路の一端部側を、上記テント本体膜の内面に沿った環形状となるように形成したことを特徴とする請求項１から６のうちいずれか１つに記載のテント構造。
【発明の詳細な説明】
【技術分野】
【０００１】
本発明は、細菌汚染の発生地点などにおいて、除菌や洗浄などで処理すべき対象物を収容し、この対象物に対し除菌用オゾンや洗浄水などの処理流体を供給して処理可能にしたり、内部空間に対して効率的な空調を実現可能にしたりするためのテント構造に関するものである。
【背景技術】
【０００２】
上記テント構造には、従来、下記特許文献１に示されるものがある。この公報のものによれば、テントは、立体的に枠組みされて固定側の面上に設置可能とされるフレームと、このフレームに沿って延び、このフレームに支持されて内部がテント室とされるテント本体膜と、一端部側が上記テント室内に向かって開口する洗浄水用の複数の吐出口を有する一方、他端部側の端部が上記洗浄水の導入口とされるホースとを備えている。
【０００３】
ここで、ある地点で細菌汚染などの問題点が発生したとし、これに上記テントが必要とされた場合には、折り畳まれてコンパクトにされているテントが上記地点にまで直ちに搬送され、そこで、まず、このテントの組立作業が行なわれる。そして、組み立てられたテントにおいて、上記ホースを後付けし、このホースを通して上記テント室内に洗浄水が供給される。この洗浄水はシャワーとされて上記対象物に注がれ、これにより、この対象物が洗浄処理される。この場合、上記洗浄水が無用に広く飛散することは、上記テントによって防止され、このテント室内での飛散にとどめられる。
【０００４】
ここで、上記したテントの組立作業では、まず、折り畳まれたテントのフレームに空気を導入させて膨張させる。そして、この膨張により、上記フレームを所定形状にまで展張させて固定側の面上に設置する。次に、上記展張されたフレームにテント本体膜を組み付けるが、この場合、上記フレームの内部に所定形状のテント室が形成されるよう、このテント本体膜が組み付けられる。次に、上記ホースを後付けし、上記フレームとテント本体膜との組立体を所定位置に設置させれば、上記テントの組立作業が終わる。
【先行技術文献】
【特許文献】
【０００５】
【特許文献１】特許第４０６７０４３号公報
【発明の概要】
【発明が解決しようとする課題】
【０００６】
ところで、上記したテントの組立作業をする場合には、まず、上記フレームを展張させて固定側の面上に設置し、次に、このフレームにテント本体膜とホースとをこの順序で順次組み付けることが要求される。しかし、このようにテントの構成部品を順序立てて、順次組み付ける、という作業は煩雑である。
【０００７】
また、前記したような汚染などの問題点が発生した場合、通常、その対象物の処理には迅速性が要求される。しかし、上記したようにテントの組立作業は煩雑であることから、この組立作業には長時間を要するおそれがある。しかも、上記先浄水を供給するホースとして、いわゆる散水用のゴムホースが別途に設けられている。このため、このようなホースと上記フレームやテント本体膜とを一体的に展張させたり、一体的に折り畳んで収納したりする作業は容易でない。よって、テントを用いての対象物の処理を、より迅速にする上で、改善の余地が残されている。
【課題を解決するための手段】
【０００８】
本発明は、上記のような事情に注目してなされたもので、本発明の目的は、内部のテント室に除菌など処理すべき対象物を収容して、この対象物に対し処理流体を供給可能としたり、上記テント室において効率的な空調を実現可能にしたりするためのテント構造に関し、このテントの組立作業が容易に、かつ、迅速にできるようにすることである。
【０００９】
請求項１の発明は、立体的に枠組みされて固定側６の面上に設置可能とされるフレーム７と、このフレーム７に沿って延び、このフレーム７に支持されて内部がテント室８とされるテント本体膜９と、一端部側１２が上記テント室８内に向かって開口する処理流体３用の複数の吐出口１３を有する一方、他端部側１４の端部が上記処理流体３の導入口１５とされる可撓性の流体通路１６とを備えたテント構造において、
上記テント本体膜９、および流体通路１６が折り畳まれた状態から、上記テント本体膜９が展張させられるとき、この展張動作に連動して上記テント本体膜９、および流体通路１６が互いの相対的な所定位置に設置されるようにしたことを特徴とするテント構造である。
【００１０】
請求項２の発明は、上記フレーム７、テント本体膜９、および流体通路１６が一体的に折り畳まれた状態から展張されるようにしたことを特徴とする請求項１に記載のテント構造である。
【００１１】
請求項３の発明は、上記フレーム７をチューブ材２０〜２２により形成し、折り畳んだ状態の上記フレーム７への気体２５の導入により、上記フレーム７が所定形状にまで膨張して展張されるようにしたことを特徴とする請求項１または２に記載のテント構造である。
【００１２】
請求項４の発明は、上記流体通路１６の外殻材４４を、上記フレーム７とテント本体膜９との少なくともいずれか一方に取り付けたことを特徴とする請求項２または３に記載のテント構造である。
【００１３】
請求項５の発明は、上記流体通路１６の外殻材４４の少なくとも一部分を、上記フレーム７または本体膜９と同じ材質にしたことを特徴とする請求項２から４のうちいずれか１つに記載のテント構造である。
【００１４】
請求項６の発明は、上記流体通路１６の外殻材４４の少なくとも一部分を、上記フレーム７またはテント本体膜９の一部分により形成したことを特徴とする請求項２から５のうちいずれか１つに記載のテント構造である。
【００１５】
請求項７の発明は、テント１の平面視（図１）で、上記流体通路１６の一端部側１２を、上記テント本体膜９の内面に沿った環形状となるように形成したことを特徴とする請求項１から６のうちいずれか１つに記載のテント構造である。
【００１６】
なお、この項において、上記各用語に付記した符号や図面番号は、本発明の技術的範囲を後述の「実施例」の項や図面の内容に限定解釈するものではない。
【発明の効果】
【００１７】
本発明による効果は、次の如くである。
【００１８】
請求項１の発明は、立体的に枠組みされて固定側の面上に設置可能とされるフレームと、このフレームに沿って延び、このフレームに支持されて内部がテント室とされるテント本体膜と、一端部側が上記テント室内に向かって開口する処理流体用の複数の吐出口を有する一方、他端部側の端部が上記処理流体の導入口とされる可撓性の流体通路とを備えたテント構造において、
上記テント本体膜、および流体通路が折り畳まれた状態から、上記テント本体膜が展張させられるとき、この展張動作に連動して上記テント本体膜、および流体通路が互いの相対的な所定位置に設置されるようにしている。
【００１９】
このため、テントの使用時に、まず、このテントの組立作業をしようとする場合には、テント本体膜と流体通路１６とが予め折り畳まれているとしても、この折り畳まれた状態から、このテント本体膜を単に展張させればよい。このようにすれば、上記したように、この展張動作に連動して上記流体通路が所定位置に設置され、上記組立作業が終わることとなる。よって、上記テントの組立作業は、極めて容易に、かつ、迅速にすることができる。
【００２０】
請求項２の発明は、上記フレーム、テント本体膜、および流体通路が一体的に折り畳まれた状態から展張されるようにしている。
【００２１】
このため、上記フレーム、テント本体膜、および流体通路をそれぞれ個別に展張させる必要がなく、よって、テントの組立作業が更に迅速にできる。一方、テントの不使用時には、上記フレーム、テント本体膜、および流体通路を一体的に折り畳むことにより、これらをコンパクトに収納させることができる。
【００２２】
請求項３の発明は、上記フレームをチューブ材により形成し、折り畳んだ状態の上記フレームへの気体の導入により、上記フレームが所定形状にまで膨張して展張されるようにしている。
【００２３】
このため、上記フレームの展張は、チューブ材であるフレームへの気体の導入、という簡単な構成で容易に達成される。よって、その分、上記テントの組立作業は、より容易にできる。
【００２４】
請求項４の発明は、上記流体通路の外殻材を、上記フレームとテント本体膜との少なくともいずれか一方に取り付けている。
【００２５】
このため、上記流体通路の外殻材が、上記フレームとテント本体膜とのいずれか一方、もしくは両者に取り付けられているとしても、これらが折り畳まれた状態から展張されるとき、この展張動作に上記流体通路は精度よく追従する。よって、このように組み立てられたテントには、その各構成部品の相対位置につき、良好な寸法精度が得られる。
【００２６】
請求項５の発明は、上記流体通路の外殻材の少なくとも一部分を、上記フレームまたはテント本体膜と同じ材質にしている。
【００２７】
このため、テントを形成する際の材料管理が容易にできると共に、材料の歩留りを向上させることができて、テントの形成が容易、かつ、安価にできる。また、このように、材質を同じにすると、展張や折り畳み時における上記フレーム、テント本体膜、および流体通路のそれぞれの変形が無理なく行なわれて、互いの変形が円滑に進行する。よって、上記展張や折り畳み時に、上記フレーム、テント本体膜、および流体通路のいずれかが無理に変形して損傷する、ということは防止される。
【００２８】
請求項６の発明は、上記流体通路の外殻材の少なくとも一部分を、上記フレームまたはテント本体膜の一部分により形成している。
【００２９】
このため、上記外殻材の形成に、上記フレームまたはテント本体膜の一部分が利用された分、テントの構成を簡単にできる。
【００３０】
請求項７の発明は、テントの平面視で、上記流体通路の一端部側を、上記テント本体膜の内面に沿った環形状となるように形成している。
【００３１】
このため、上記流体通路の一端部側が有する各吐出口から処理流体を吐出させることにより、テント本体膜のテント室内における処理流体の分布を、より均一にできる。よって、この処理流体による対象物の処理が精度よくできる。
【図面の簡単な説明】
【００３２】
【図１】実施例１を示し、テントの平面図である。
【図２】実施例１を示し、テントの側面図である。
【図３】実施例１を示し、テントの斜視図である。
【図４】実施例１を示し、図１のIV−IV線矢視拡大断面部分破断図である。
【図５】実施例２を示し、図４に相当する図である。
【発明を実施するための形態】
【００３３】
本発明のテント構造、具体的には、内部のテント室に除菌など処理すべき対象物を収容して、その処理流体を供給可能にしたり、上記テント室において効率的な空調を実現可能にしたりするためのテント構造に関し、このテントの組立作業が容易に、かつ、迅速にできるようにする、という目的を実現するため、本発明を実施するための形態は、次の如くである。
【００３４】
即ち、テント構造は、立体的に枠組みされて固定側の面上に設置可能とされるフレームと、このフレームに沿って延び、このフレームに支持されて内部がテント室とされるテント本体膜と、一端部側が上記テント室内に向かって開口する処理流体用の複数の吐出口を有する一方、他端部側の端部が上記処理流体の導入口とされる可撓性の流体通路とを備える。
【００３５】
上記テント本体膜、および流体通路が折り畳まれた状態から、上記テント本体膜が展張させられるとき、この展張動作に連動して上記テント本体膜、および流体通路が互いの相対的な所定位置に設置されるようにしている。
【実施例１】
【００３６】
本発明をより詳細に説明するために、その実施例１を添付の図１〜４に従って説明する。
【００３７】
図１〜４において、符号１は、テント構造である。このテント１は、細菌、化学、放射能汚染の発生地点など所望位置において、除菌や洗浄などで処理すべき対象物２を収容し、この対象物２に対し除菌用オゾンや洗浄水などの処理流体３を供給可能にするためのものである。なお、上記テント１は、その内部における空気につき、効率的な空調を実現可能にするためのものであってもよい。
【００３８】
なお、説明の便宜上、図中矢印Ｆｒの方向を前方として、以下説明する。また、下記する左右とは、上記前方に向かってのテント１の幅方向をいうものとする。
【００３９】
上記対象物２は、人の他、家畜などの動物であってもよく、食物や機器類などであってもよい。また、上記処理流体３は、オゾンガス等の除菌剤を混入した空気であるが、水などによる溶液であってもよく、また、温度や湿度調整された空気であってもよい。
【００４０】
上記テント１は、立体的に枠組みされて地面や床面など固定側６の面上に設置可能とされるフレーム７と、このフレーム７に沿って延び、このフレーム７に支持されて内部が閉じられたテント室８とされるテント本体膜９と、上記フレーム７に上記テント本体膜９を着脱可能に支持させるフック形状の係止具１０と、一端部側１２が上記テント室８内に向かって開口する処理流体３用の複数の吐出口１３を有する一方、他端部側１４の端部が上記処理流体３の導入口１５とされる可撓性の流体通路１６と、上記導入口１５を通し上記流体通路１６内に処理流体３を供給する流体供給機１７とを備えている。
【００４１】
上記フレーム７は、アルミ等の金属製、塩化ビニル等の樹脂製のフレームが利用可能であるが、本実施例では、複数のチューブ材２０〜２２を枠組みすることにより形成されている。具体的には、上記フレーム７は、上記固定側６の面上に立設される４本の柱チューブ材２０と、上記テント１の左右各側部において、前、後柱チューブ材２０，２０の下端部同士を連結する連結チューブ材２１と、上記各柱チューブ材２０の上端部に支持される屋根チューブ材２２とを備えている。
【００４２】
上記フレーム７の各チューブ材２０〜２２は、その各内部が互いに連通している。これら各チューブ材２０〜２２は、その各内部に導入された圧縮気体２５により膨張させられて展張させられることにより、所定形状に保形されている。これにより、上記フレーム７は上記固定側６の面上に自立するよう配置される。
【００４３】
上記各チューブ材２０〜２２のうち、１本の柱チューブ材２０の下端部に開閉可能に閉じられる気体注入口２６が形成されている。この気体注入口２６に吐出口が着脱可能に連結される気体注入機２７が設けられている。そして、この気体注入機２７の駆動により、開口された気体注入口２６を通し上記各チューブ材２０〜２２の内部に上記気体２５が注入可能とされる。具体的には、気体２５は空気であり、気体注入機２７はエアコンプレッサである。なお、気体２５はＣＯ２ガスであってもよい。また、上記フレーム７を上記固定側６の面上の所定位置に保持可能とする複数（４本）の保持ロープ２８が設けられている。
【００４４】
前記テント本体膜９は、上記各チューブ材２０〜２２で枠組みされたフレーム７の内部に配置されている。上記テント本体膜９は、前後方向で対面する前、後面膜３２，３３と、左右で対面する側面膜３４，３４と、上下方向で対面する屋根膜３５および床面膜３６とを備え、これら各膜３２〜３６の互いの対向縁部同士が熱溶着や、縫製、面ファスナー等により結合されて上記テント本体膜９が形成されている。
【００４５】
上記前面膜３２には出入口３８が形成され、この出入口３８を開閉可能に閉じるドア膜３９が設けられている。また、側面膜３４には窓開口４０が形成され、この窓開口４０を閉じる透明の樹脂シート４１が設けられている。上記フレーム７の各チューブ材２０〜２２、およびテント本体膜９の各膜の材質は、その芯材としてのポリエステルなど樹脂繊維、ケナフ等の天然繊維、ガラス繊維等の無機繊維の少なくとも１つからなる織物又は編物と、この芯材の各外面にコーティングされる塩化ビニル、ＥＶＡ、フッ素樹脂などから選ばれる合成樹脂、またはゴム製の表皮とを備えている。
【００４６】
前記流体通路１６の外殻材４４は、帯形状の２枚の長尺膜４５，４６同士を重ね合わせ、それぞれの幅方向の端縁部同士を熱溶着等により接合することによって形成されている。そして、これら長尺膜４５，４６の間に上記流体通路１６が形成されている。具体的には、上記外殻材４４の横断面視（図４）で、上記両長尺膜４５，４６のうち、テント室８の内部空間側に位置する一方の長尺膜４５の長さが、他方の長尺膜４６の長さよりも長くされている。そして、上記一方の長尺膜４５の幅方向の中途部が上記他方の長尺膜４６から離れるよう円弧形状に屈曲させられる一方、この他方の長尺膜４６は断面直線形状とされている。これにより、これら両長尺膜４５，４６のそれぞれ幅方向の中途部の間に断面半円形状の上記流体通路１６が形成されている。なお、上記流体通路１６の断面形状は、楕円形や、三角形、矩形などの多角形状であってもよい。
【００４７】
上記流体通路１６の一端部側１２の外殻材４４は、この外殻材４４の上記他方の長尺膜４６の外面とこの外面に対面する上記テント本体膜９の上端部内面との間に設けられた面ファスナーである取付具４７により、上記テント本体膜９の上端部内面に着脱可能に取り付けられている。この場合、上記したように、外殻材４４の他の長尺膜４６は、断面直線形状とされている。このため、この他の長尺膜４６を上記した取付具４７により、断面直線形状のテント本体膜９の内面に取り付けるとき、この取り付け作業は、上記他方の長尺膜４６の断面直線形状を保ったままで、無理なく容易にできる。
【００４８】
テント１の平面視（図１）で、上記流体通路１６の一端部側１２は、上記テント本体膜９の上端部の内面に沿った矩形の環形状となるよう形成され、上記一端部側１２の外殻材４４には、前記吐出口１３が、上記外殻材４４の長手方向で、等ピッチとなるよう形成されている。
【００４９】
なお、上記流体通路１６の一端部側１２の環形状は、円環形状や開口の狭いＣ字形状を含む概念である。また、上記流体通路１６の一端部側１２の配置形状は、要するに、この一端部側１２が有する各吐出口１３から吐出される処理流体３がテント室８内に供給可能となるように設定されるものであって、特に限定されるものではない。しかし、上記流体通路１６の一端部側１２の配置形状は、上記テント室８内の各部に対し処理流体３がほぼ均一な状態で供給されるよう設定されることが好ましい。
【００５０】
上記流体通路１６の他端部側１４の外殻材４４は、上下方向に延び、面ファスナーである他の取付具４８により上記テント本体膜９の側面膜３４の内面に着脱可能に取り付けられている。上記流体通路１６の他端部側１４の外殻材４４の上端部は上記流体通路１６の一端部側１２の外殻材４４の長手方向の一部分に連結され、その内部の流体通路１６同士は互いに連通している。また、上記他端部側１４の外殻材４４の下端部に前記導入口１５が形成されている。
【００５１】
上記外殻材４４の各長尺膜４５，４６は、それぞれ上記テント本体膜９と同じ材質とされているが、いずれか一方のみが同じ材質であってもよい。また、上記外殻材４４は、上記テント本体膜９の内面に縫製や熱溶着により固定させてもよい。
【００５２】
前記流体供給機１７には、上記気体注入機２７が兼用され、この気体注入機２７の吐出口は上記導入口１５に着脱可能に連結される。そして、この気体注入機２７から吐出された気体２５は上記導入口１５を通し流体通路１６に導入される。また、上記流体供給機１７は、上記気体注入機２７から導入口１５に向かう気体２５にオゾンガスを混合させるオゾン発生器５１を有している。また、上記気体注入機２７の吸入口にはオゾン分解器５２が着脱可能とされている。また、前記流体供給機１７は、気体注入機２７の代わりにスポットクーラー等の空調機を使用することもできる。これにより、上記テント室８を快適に効率よく空調することができる。また、上記空調機とオゾン発生器５１を併用すれば、除菌と空調を同時にすることができる。
【００５３】
上記テント１の不使用時には、上記フレーム７の各チューブ材２０〜２２内の気体２５が上記気体注入口２６を通し排出され、上記テント１のフレーム７、テント本体膜９、および流体通路１６が一体的にコンパクトに折り畳まれて収納される。
【００５４】
上記テント１の使用時には、このテント１は、まず、次のような組立作業により組み立てられる。
【００５５】
即ち、固定側６の面上で、上記気体注入機２７の駆動により、気体注入口２６を通しフレーム７の内部に気体２５が導入される。すると、上記フレーム７、テント本体膜９、および流体通路１６は折り畳まれた状態から、上記フレーム７の各チューブ材２０〜２２が膨張させられ、これにより、上記フレーム７とテント本体膜９とによる組み合わせ体７，９が自立するよう展張させられる。また、このとき、この展張動作に連動して上記フレーム７、テント本体膜９、および流体通路１６が互いの相対的な所定位置に設置される。そこで、上記気体注入口２６を閉じることにより、上記組み合わせ体７，９を固定側６の面上に自立状態に維持させる。これにより、上記テント１の組立作業が終わる。
【００５６】
次に、上記流体供給機１７として、上記気体注入機２７を上記導入口１５に連結すると共に、この導入口１５に上記オゾン発生器５１を連結する。そして、これら気体注入機２７とオゾン発生器５１とを駆動させれば、上記気体２５とオゾンガスとの混合体である処理流体３が上記導入口１５を通し流体通路１６の他端部側１４に導入される。すると、上記処理流体３は上記流体通路１６の一端部側１２に達し、ここで、上記各吐出口１３から上記テント室８内に吐出され、この吐出された上記処理流体３によって上記対象物２が除菌処理される。
【００５７】
また、必要に応じて、上記気体注入機２７の注入口に上記オゾン分解器５２を取り付けて上記気体注入機２７を駆動させることができる。このようにすると、上記気体注入機２７のモーター等の内部機関が、オゾンガスにより侵されることが防止される。
【００５８】
なお、上記外殻材４４は、上記フレーム７やテント本体膜９の内面、もしくは外面に、上記両長尺膜４５，４６のいずれか一方の長尺膜を直接縫製又は熱溶着して固定することにより形成してもよい。この場合、上記外殻材４４の一部分は上記フレーム７やテント本体膜９の一部分により形成されることとなるが、上記外殻材４４の全部を上記フレーム７またはテント本体膜９の一部分により形成するようにしてもよい。
【００５９】
以下の図５は、実施例２を示している。この実施例２は、前記実施例１と構成、作用効果において多くの点で共通している。そこで、これら共通するものについては、図面に共通の符号を付してその重複した説明を省略し、異なる点につき主に説明する。また、これら実施例における各部分の構成を、本発明の目的、作用効果に照らして種々組み合せてもよい。
【実施例２】
【００６０】
本発明をより詳細に説明するために、その実施例２を添付の図５に従って説明する。
【００６１】
図５において、上記フレーム７は、上記テント本体膜９の一部分と、このテント本体膜９の内面に熱溶着により取り付けられた帯形状の長尺膜５５とで構成され、これら９，５５の間に上記気体２５が注入される空間５６が形成されている。そして、上記テント本体膜９の一部分、長尺膜５５、および空間５６が前記フレーム７の各チューブ材２０〜２２を構成している。
【００６２】
上記流体通路１６の外殻材４４は単なる断面円形のチューブ材により形成され、この外殻材４４は、上記テント本体膜９の内面とフレーム７とにそれぞれＵ字バンド形状の取付具５８により取り付けられている。
【００６３】
なお、上記外殻材４４は取付具５８によりフレーム７にのみ、取り付けてもよい。また、前記実施例１の長尺膜４５を上記フレーム７の長尺膜５５の一部分に取り付けて、上記外殻材４４を形成してもよい。
【００６４】
上記構成によれば、テント本体膜９、および流体通路１６が折り畳まれた状態から、上記テント本体膜９が上記フレーム７の展張に伴って展張させられるとき、この展張動作に連動して上記テント本体膜９、および流体通路１６が互いの相対的な所定位置に設置されるようにしている。
【００６５】
このため、テント１の使用時に、まず、このテント１の組立作業をしようとする場合には、テント本体膜９と流体通路１６とが予め折り畳まれているとしても、この折り畳まれた状態から、このテント本体膜９を単に展張させればよい。このようにすれば、上記したように、この展張動作に連動して上記流体通路１６が所定位置に設置され、上記組立作業が終わることとなる。よって、上記テント１の組立作業は、極めて容易に、かつ、迅速にすることができる。
【００６６】
また、前記したように、上記フレーム７、テント本体膜９、および流体通路１６が一体的に折り畳まれた状態から展張されるようにしている。
【００６７】
このため、上記フレーム７、テント本体膜９、および流体通路１６をそれぞれ個別に展張させる必要がなく、よって、テント１の組立作業が更に迅速にできる。一方、テント１の不使用時には、上記フレーム７、テント本体膜９、および流体通路１６を一体的に折り畳むことにより、これらをコンパクトに収納させることができる。
【００６８】
また、前記したように、フレーム７をチューブ材２０〜２２により形成し、折り畳んだ状態の上記フレーム７への気体２５の導入により、上記フレーム７が所定形状にまで膨張して展張されるようにしている。
【００６９】
このため、上記フレーム７の展張は、チューブ材であるフレーム７への気体２５の導入、という簡単な構成で容易に達成される。よって、その分、上記テント１の組立作業は、より容易にできる。
【００７０】
また、前記したように、流体通路１６の外殻材４４を、上記フレーム７とテント本体膜９との少なくともいずれか一方に取り付けている。
【００７１】
このため、上記流体通路１６の外殻材４４が、上記組み合わせ体７，９のうち、フレーム７とテント本体膜９とのいずれか一方、もしくは両者７，９に取り付けられているとしても、これら７，９，１６が折り畳まれた状態から展張されるとき、この展張動作に上記流体通路１６は精度よく追従する。よって、このように組み立てられたテント１には、その各構成部品７，９，１６の相対位置につき、良好な寸法精度が得られる。
【００７２】
また、前記したように、上記流体通路１６の外殻材４４の少なくとも一部分を、上記フレーム７またはテント本体膜９の一部分と同じ材質にしている。
【００７３】
このため、テント１を形成する際の材料管理が容易にできると共に、材料の歩留りを向上させることができて、テント１の形成が容易、かつ、安価にできる。また、このように、材質を同じにすると、展張や折り畳み時における上記フレーム７、テント本体膜９、および流体通路１６のそれぞれの変形が無理なく行なわれて、互いの変形が円滑に進行する。よって、上記展張や折り畳み時に、上記フレーム７、テント本体膜９、および流体通路１６のいずれかが無理に変形して損傷する、ということは防止される。
【００７４】
また、前記したように、上記流体通路１６の外殻材４４の少なくとも一部分を、上記フレーム７またはテント本体膜９の一部分により形成している。
【００７５】
このため、上記外殻材４４の形成に、上記フレーム７またはテント本体膜９の一部分が利用された分、テント１の構成を簡単にできる。
【００７６】
また、前記したように、テント１の平面視（図１）で、上記流体通路１６の一端部側１２を、上記テント本体膜９の内面に沿った環形状となるように形成している。
【００７７】
このため、上記流体通路１６の一端部側１２が有する各吐出口１３から処理流体３を吐出させることにより、テント本体膜９のテント室８内における処理流体３の分布を、より均一にできる。よって、この処理流体３による対象物２の処理が精度よくできる。
【符号の説明】
【００７８】
１    テント
２    対象物
３    処理流体
６    固定側
７    フレーム
８    テント室
９    テント本体膜
１０  係止具
１２  一端部側
１３  吐出口
１４  他端部側
１５  導入口
１６  流体通路
１７  流体供給機
２０〜２２  チューブ材
２５  気体
２７  気体注入機
４４  外殻材
【図１】
2012077523.tif 000003
【図２】
2012077523.tif 000004
【図３】
2012077523.tif 000005
【図４】
2012077523.tif 000006
【図５】
2012077523.tif 000007